(57)【要約】【課題】ヘッドレストサポートを支えるシートバックのアッパフレームの構造強度を合理的に高めること。【解決手段】ヘッドレストサポート２０は、アッパフレーム１０の天板部１１に形成された天板孔１１Ａと底板部１２に形成された底板孔１２Ａとにシート高さ方向に貫通して差し込まれる差込み部２２と、差込み部２２から径方向に張り出すリブ２４とを有する。天板孔１１Ａ及び底板孔１２Ａは、それぞれヘッドレストサポート２０の差込み部２２をシート高さ方向に差し込み可能かつ差し込んだ差込み部２２を旋回させてリブ２４を天板部１１と底板部１２との配置間領域に有効に介在させる有効介在位置Ｐへと移行可能な丸孔領域を有する。リブ２４が、有効介在位置Ｐにて天板部１１と底板部１２との間の接近方向の変形移動を突張りにより抑制可能な突張り部位２４Ａを有する。【選択図】図３
2019137246.tif 000002
【特許請求の範囲】
【請求項１】
ヘッドレストステーが上側から差し込まれて装着されるヘッドレストサポートと、該ヘッドレストサポートが上側から差し込まれて装着されるシートバックのアッパフレームと、を有する乗物用シートであって、
前記アッパフレームが、互いにシート高さ方向に対面する天板部及び底板部を有し、
前記ヘッドレストサポートが、前記天板部に形成された天板孔と前記底板部に形成された底板孔とにシート高さ方向に貫通して差し込まれる差込み部と、該差込み部から差込み方向とは交差する方向に張り出す張出し部と、を有し、
前記天板孔と前記底板孔とが、それぞれ、前記ヘッドレストサポートの前記差込み部をシート高さ方向に差し込み可能な差込み孔領域と、該差込み孔領域に差し込んだ前記ヘッドレストサポートの前記差込み部を前記差込み方向とは交差する方向に移動させて前記張出し部を前記差込み孔領域から外れた前記天板部と前記底板部との配置間領域に有効に介在させる有効介在位置へと移行可能な移行孔領域と、を有し、
前記張出し部が、前記有効介在位置にて前記天板部と前記底板部との間に作用する接近方向の変形移動を突張りにより抑制可能な突張り部位を有する乗物用シート。
【請求項２】
請求項１に記載の乗物用シートであって、
前記張出し部の前記有効介在位置が、前記差込み部の後側位置に設定された乗物用シート。
【請求項３】
請求項１又は請求項２に記載の乗物用シートであって、
前記移行孔領域が、前記ヘッドレストサポートの前記差込み部を前記差込み孔領域から差込み方向に延びる軸回りに旋回させて前記張出し部を前記有効介在位置へと移行させる孔形状とされた乗物用シート。
【請求項４】
請求項３に記載の乗物用シートであって、
前記ヘッドレストサポートが、前記差込み部を前記有効介在位置へと回転させることで前記アッパフレームに形成された嵌合溝に弾性的に嵌合して前記差込み部を回り止めする弾性嵌合部を有する乗物用シート。
【請求項５】
請求項３又は請求項４に記載の乗物用シートであって、
前記ヘッドレストサポートと前記アッパフレームとの間に、前記差込み部を前記差込み孔領域から前記有効介在位置とは反対方向へ回転させる動きを回転方向の当接により規制する誤組付け防止構造を有する乗物用シート。
【請求項６】
請求項５に記載の乗物用シートであって、
前記アッパフレームが、前記差込み孔領域の周縁からフランジ状に立ち上がるバーリング部を有し、
該バーリング部が、前記ヘッドレストサポートを回転方向に当接させる前記誤組付け防止構造としての規制面部と、前記差込み孔領域に差し込まれた前記差込み部の外周面に面当接される当接面部と、を有する乗物用シート。
【請求項７】
請求項６に記載の乗物用シートであって、
前記張出し部が、前記差込み部を前記有効介在位置へと回転させる際の前記バーリング部の前記当接面部との干渉を避ける凹部位を有する乗物用シート。
【発明の詳細な説明】
【技術分野】
【０００１】
本発明は、乗物用シートに関する。詳しくは、ヘッドレストステーが上側から差し込まれて装着されるヘッドレストサポートと、該ヘッドレストサポートが上側から差し込まれて装着されるシートバックのアッパフレームと、を有する乗物用シートに関する。
【背景技術】
【０００２】
従来、乗物用シートにおいて、ヘッドレストがシートバックの上部に対して上側から差し込まれて装着された構成が知られている（特許文献１）。具体的には、ヘッドレストは、その下部から延びる左右一対のヘッドレストステーが、シートバックの上部に埋設された左右一対のヘッドレストサポート内にそれぞれ上側から差し込まれることで、これらヘッドレストサポートに位置固定された状態にロックされて保持されるようになっている。
【０００３】
上述した左右一対のヘッドレストサポートは、シートバックのアッパフレームを成す上下一対の板部に対して、それぞれ上側から貫通した状態に差し込まれて結合されている。上記結合により、各ヘッドレストポートは、上述したアッパフレームの上下一対の板部によって、高さ方向に広い支持スパンで支えられた状態とされている。
【先行技術文献】
【特許文献】
【０００４】
【特許文献１】米国特許第９５３９９２２号明細書
【発明の概要】
【発明が解決しようとする課題】
【０００５】
上記従来技術では、ヘッドレストに車両衝突等に伴う前後方向の過大な負荷が入力された際に、各ヘッドレストサポートを支える上下一対の板部に過大な曲げの負荷が入力されて、各板部による各ヘッドレストサポートの支持形態が崩れてしまうおそれがある。本発明は、上記問題を解決するものとして創案されたものであって、本発明が解決しようとする課題は、ヘッドレストサポートを支えるシートバックのアッパフレームの構造強度を合理的に高めることにある。
【課題を解決するための手段】
【０００６】
上記課題を解決するために、本発明の乗物用シートは次の手段をとる。
【０００７】
第１の発明は、ヘッドレストステーが上側から差し込まれて装着されるヘッドレストサポートと、ヘッドレストサポートが上側から差し込まれて装着されるシートバックのアッパフレームと、を有する乗物用シートである。アッパフレームが、互いにシート高さ方向に対面する天板部及び底板部を有する。ヘッドレストサポートが、天板部に形成された天板孔と底板部に形成された底板孔とにシート高さ方向に貫通して差し込まれる差込み部と、差込み部から差込み方向とは交差する方向に張り出す張出し部と、を有する。天板孔と底板孔とが、それぞれ、ヘッドレストサポートの差込み部をシート高さ方向に差し込み可能な差込み孔領域と、差込み孔領域に差し込んだヘッドレストサポートの差込み部を差込み方向とは交差する方向に移動させて張出し部を差込み孔領域から外れた天板部と底板部との配置間領域に有効に介在させる有効介在位置へと移行可能な移行孔領域と、を有する。張出し部が、有効介在位置にて天板部と底板部との間に作用する接近方向の変形移動を突張りにより抑制可能な突張り部位を有する。
【０００８】
この第１の発明によれば、ヘッドレストサポートをアッパフレームに上側から差し込んで装着することで、ヘッドレストサポートに形成された張出し部をアッパフレームの天板部と底板部との配置間領域に有効に介在させて、これらの相対的な接近方向の変形移動を突張り部位の突張りにより抑制できるようになる。上記構成により、ヘッドレストサポートを支えるシートバックのアッパフレームの構造強度を合理的に高めることができる。
【０００９】
第２の発明は、上述した第１の発明において、次の構成とされているものである。張出し部の有効介在位置が、差込み部の後側位置に設定されている。
【００１０】
この第２の発明によれば、ヘッドレストに前方側から過大な負荷が入力された際のアッパフレームの天板部と底板部との相対的な接近方向の変形移動を、差込み部の後側位置にある張出し部によって適切に抑制することができる。
【００１１】
第３の発明は、上述した第１又は第２の発明において、次の構成とされているものである。移行孔領域が、ヘッドレストサポートの差込み部を差込み孔領域から差込み方向に延びる軸回りに旋回させて張出し部を有効介在位置へと移行させる孔形状とされている。
【００１２】
この第３の発明によれば、移行孔領域がヘッドレストサポートの差込み部を差込み孔領域から有効介在位置へとスライドさせて移行させる孔形状とされた場合と比べて、移行孔領域を差込み孔領域と重複させて形成することができ、全体の孔形状を小さくすることができる。
【００１３】
第４の発明は、上述した第３の発明において、次の構成とされているものである。ヘッドレストサポートが、差込み部を有効介在位置へと回転させることでアッパフレームに形成された嵌合溝に弾性的に嵌合して差込み部を回り止めする弾性嵌合部を有する。
【００１４】
この第４の発明によれば、ヘッドレストサポートをアッパフレームに対して簡便に装着位置に固定した状態に取り付けることができる。
【００１５】
第５の発明は、上述した第３又は第４の発明において、次の構成とされているものである。ヘッドレストサポートとアッパフレームとの間に、差込み部を差込み孔領域から有効介在位置とは反対方向へ回転させる動きを回転方向の当接により規制する誤組付け防止構造を有する。
【００１６】
この第５の発明によれば、ヘッドレストサポートがアッパフレームに対して間違った位置に装着されることを適切に防止することができる。
【００１７】
第６の発明は、上述した第５の発明において、次の構成とされているものである。アッパフレームが、差込み孔領域の周縁からフランジ状に立ち上がるバーリング部を有する。バーリング部が、ヘッドレストサポートを回転方向に当接させる誤組付け防止構造としての規制面部と、差込み孔領域に差し込まれた差込み部の外周面に面当接される当接面部と、を有する。
【００１８】
この第６の発明によれば、ヘッドレストサポートの間違った方向への回転移動を規制する規制面部と、差込み孔領域に差し込まれた差込み部を外周側から面状に支持する当接面部と、を差込み孔領域の周縁に形成したバーリング部によって合理的に得ることができる。
【００１９】
第７の発明は、上述した第６の発明において、次の構成とされているものである。張出し部が、差込み部を有効介在位置へと回転させる際のバーリング部の当接面部との干渉を避ける凹部位を有する。
【００２０】
この第７の発明によれば、差込み孔領域の周縁にバーリング部が形成されていても、張出し部を凹部位によってバーリング部と干渉させることなくアッパフレームの天板部と底板部との間にシート高さ方向に広く延出させた状態に設けることができる。
【図面の簡単な説明】
【００２１】
【図１】実施例１の乗物用シートの概略構成を表した斜視図である。
【図２】図１の背面図である。
【図３】図２のＩＩＩ−ＩＩＩ線断面図である。
【図４】ヘッドレストサポートをアッパフレームに装着する前の状態を表した斜視図である。
【図５】図４からヘッドレストサポートをアッパフレームに差し込んだ状態を表した斜視図である。
【図６】図５からヘッドレストサポートを回転させてアッパフレームに装着した状態を表した斜視図である。
【発明を実施するための形態】
【００２２】
以下に、本発明を実施するための形態について、図面を用いて説明する。
【実施例１】
【００２３】
《シート１の概略構成について》
始めに、実施例１のシート１（乗物用シート）の構成について、図１〜図６を用いて説明する。なお、以下の説明において、前後上下左右等の各方向を示す場合には、各図中に示されたそれぞれの方向を指すものとする。また、「シート幅方向」と示す場合には、シート１の左右方向を指し、「シート高さ方向」と示す場合には、シート１の上下方向を指すものとする。
【００２４】
図１〜図２に示すように、本実施例のシート１は、自動車の前部側座席として構成されており、着座乗員の背凭れ部となるシートバック２と、着座部となる不図示のシートクッションと、頭凭れ部となるヘッドレスト３と、を備えた構成とされている。上述したシートバック２は、その左右両サイドの下端部が、それぞれ不図示のリクライナを介してシートクッションの左右両サイドの後端部に連結されている。
【００２５】
ヘッドレスト３は、シートバック２の上面部に上側から差し込まれて位置固定された状態として設けられている。具体的には、ヘッドレスト３は、その下面部から垂下する左右一対の円管形状のヘッドレストステー３Ａが、シートバック２の上面部に設けられた左右一対の筒状のヘッドレストサポート２０の挿通孔２０Ａ内にそれぞれ上側から挿通されることで、これらヘッドレストサポート２０に位置固定された状態にロックされて装着されている。
【００２６】
より詳しくは、上述したヘッドレスト３は、その左右のヘッドレストステー３Ａが対応する各側のヘッドレストサポート２０の挿通孔２０Ａ内に上側から挿通されることにより、右側のヘッドレストステー３Ａの外周部に形成された不図示の係止溝内に同側のヘッドレストサポート２０の挿通孔２０Ａ内に突出する不図示の係止爪が弾性的に嵌り込んで係止されるようになっている。それにより、各側のヘッドレストステー３Ａが対応する各側のヘッドレストサポート２０に対して位置固定された状態となり、ヘッドレスト３がシートバック２の上面部に一体的に装着された状態となって保持される。
【００２７】
上述した右側のヘッドレストサポート２０の係止爪によるヘッドレストステー３Ａの位置固定状態は、同側のヘッドレストサポート２０の頭部２１に設けられたツマミ２１Ａが使用者によって横側から押し込まれることにより解除されるようになっている。具体的には、上述したツマミ２１Ａが横側から押し込まれることにより、上述した不図示の係止爪が係止溝から外し出されて、ヘッドレストステー３Ａの係止状態が解除されるようになっている。
【００２８】
《ヘッドレストサポート２０の構成について》
上述した各ヘッドレストサポート２０は、内部に金属製の芯材が埋設された構造強度の高い樹脂部材によって形成されている。上述した各ヘッドレストサポート２０は、それぞれ、台座形状の頭部２１と、頭部２１の中央箇所から円筒形状に垂下する差込み部２２と、差込み部２２と頭部２１との間の箇所からフランジ状に張り出す係止座２３と、差込み部２２の外周箇所から張り出す長板状のリブ２４と、差込み部２２の下端側の外周箇所に形成された一対の嵌合爪２５と、を有する構成とされている。ここで、上述したヘッドレストサポート２０に形成されたリブ２４がそれぞれ本発明の「張出し部」に相当し、一対の嵌合爪２５がそれぞれ本発明の「弾性嵌合部」に相当する。
【００２９】
そして、図３に示すように、上述した各ヘッドレストサポート２０には、それらの頭部２１の中央箇所から差込み部２２の下端側箇所までシート高さ方向にストレートに貫通する丸孔形状の挿通孔２０Ａが形成されている。上述した各ヘッドレストサポート２０は、次のようにシートバック２の上部骨格を成すアッパフレーム１０に上側から差し込まれて装着されている。すなわち、先ず、図４〜図５に示すように、上述した各ヘッドレストサポート２０の差込み部２２を、上述したアッパフレーム１０の左右２箇所に形成されたシート高さ方向に貫通する各天板孔１１Ａ及び底板孔１２Ａ内に上側から差し込む。
【００３０】
詳しくは、各ヘッドレストサポート２０の差込み部２２を、それらの外周箇所から張り出すリブ２４が対応する各天板孔１１Ａに形成されたキー溝状のリブ受入孔領域１１Ａ２内に入り込む向きとなるように回転方向の向きを合わせた状態で対応する各天板孔１１Ａ及び底板孔１２Ａ内に上側から差し込む。上記差し込みにより、各ヘッドレストサポート２０の差込み部２２が、それらの係止板がアッパフレーム１０の天板部１１に当たって係止される位置まで、対応する天板孔１１Ａ及び底板孔１２Ａ内に上側から差し込まれる。それにより、各ヘッドレストサポート２０の差込み部２２は、それらのリブ２４がアッパフレーム１０の天板部１１と底板部１２との間の高さ領域内に位置付けられた状態となる。
【００３１】
次に、図６に示すように、各ヘッドレストサポート２０の差込み部２２を、対応する各天板孔１１Ａ及び底板孔１２Ａ内で旋回させる形に回転させ、それらの外周箇所から張り出す各リブ２４を各差込み部２２の真後ろへ向けて移動させる。これにより、各ヘッドレストサポート２０の差込み部２２の下端側の外周箇所に形成された一対の嵌合爪２５が、対応する底板孔１２Ａの周縁からフランジ状に垂下する形に延びるバーリング部１２Ｂの一対の嵌合溝１２Ｂ２内にそれぞれ弾性的に嵌り込んで係止される（図３参照）。その結果、各ヘッドレストサポート２０の差込み方向、引抜き方向及び回転方向の双方向の移動がそれぞれ規制された状態となってロックされ、各ヘッドレストサポート２０がアッパフレーム１０に一体的に装着された状態となる。
【００３２】
そして、上記組み付けにより、各ヘッドレストサポート２０は、図３に示すように、それらの差込み部２２から張り出す各リブ２４が、アッパフレーム１０の天板部１１と底板部１２との配置間領域にそれぞれ有効に介在する有効介在位置Ｐへと移行された状態となる。それにより、各ヘッドレストサポート２０は、車両の後部衝突の発生時に、ヘッドレスト３に着座者の頭部２１が車両前方から強く押し当てられるような過大な負荷が入力されて、各ヘッドレストサポート２０を支えるアッパフレーム１０の天板部１１と底板部１２とに過大な曲げの負荷が入力されても、上述した各リブ２４の天板部１１と底板部１２との間に張り出す突張り部位２４Ａがシート高さ方向に突張る形に張り出して、これらの相対的な接近方向の変形移動を抑止して、アッパフレーム１０による各ヘッドレストサポート２０の支持形態を崩しにくくすることができるようになっている。
【００３３】
《アッパフレーム１０の構成について》
ところで、上述したアッパフレーム１０は、図１〜図２に示すように、１枚の金属板がシート幅方向に長尺状に延びる立体形状にプレス加工されて形成されている。具体的には、アッパフレーム１０は、図３に示すように、互いにシート高さ方向に対面する天板部１１及び底板部１２と、これらの前縁部間を繋ぐ立板状の前板部１３と、を有する断面略コ字状の曲げ板形状に形成されている。
【００３４】
図４に示すように、上述した天板部１１には、その左右２箇所の位置に、シート高さ方向に略丸孔形状に貫通する天板孔１１Ａが形成されている。また、底板部１２にも、上述した各天板孔１１Ａとシート高さ方向に対向する各位置に、シート高さ方向に丸孔形状に貫通する底板孔１２Ａが形成されている。上述した各天板孔１１Ａは、詳しくは、丸孔形状に貫通した丸孔領域１１Ａ１と、丸孔領域１１Ａ１のシート幅方向の内側領域から孔形状をキー溝状に拡張させるリブ受入孔領域１１Ａ２と、を有する孔形状に形成されている。また、各底板孔１２Ａは、丸孔形状に貫通した丸孔領域１２Ａ１を有する孔形状に形成されている。
【００３５】
上述した各天板孔１１Ａの丸孔領域１１Ａ１は、図３〜図５に示すように、上述した各ヘッドレストサポート２０の円筒状の差込み部２２を上側から差し込んで外周側からあてがえた状態に支持することのできる内径寸法を有し、図６に示すように、各丸孔領域１１Ａ１内に差し込んだ各ヘッドレストサポート２０の差込み部２２を旋回方向に回転させることのできる正円形状に形成されている。
【００３６】
また、各天板孔１１Ａのリブ受入孔領域１１Ａ２は、図４〜図５に示すように、上述した各ヘッドレストサポート２０の差込み部２２から径方向に張り出す各リブ２４をそれらの孔領域上に位置合わせした状態から、各ヘッドレストサポート２０の差込み部２２を各天板孔１１Ａの丸孔領域１１Ａ１内に係止座２３が天板部１１上に当たる位置まで差し込むことにより、各リブ２４をそれらの孔領域内に通して下側へと抜けさせることのできる角孔形状に形成されている。
【００３７】
また、上述した各底板孔１２Ａの丸孔領域１２Ａ１も、図３〜図５に示すように、上述した各ヘッドレストサポート２０の円筒状の差込み部２２を上側から差し込んで外周側からあてがえた状態に支持することのできる内径寸法を有し、図６に示すように、各丸孔領域１２Ａ１内に差し込んだ各ヘッドレストサポート２０の差込み部２２を旋回方向に回転させることのできる正円形状に形成されている。ここで、上述した各天板孔１１Ａの丸孔領域１１Ａ１とリブ受入孔領域１１Ａ２とを合わせた孔領域が本発明の「差込み孔領域」に相当する。また、上記各天板孔１１Ａの丸孔領域１１Ａ１は、更に、本発明の「移行孔領域」にも相当する。また、各底板孔１２Ａの丸孔領域１２Ａ１が本発明の「差込孔領域」及び「移行孔領域」に相当する。
【００３８】
図４に示すように、上述した天板部１１の各天板孔１１Ａの周縁には、各周縁に沿ってフランジ状に形状を垂下させる略円筒形状のバーリング部１１Ｂがバーリング加工によって形成されている。これらバーリング部１１Ｂは、各天板孔１１Ａの丸孔領域１１Ａ１の周縁に沿って略円筒状に形状を垂下させる当接面部１１Ｂ１と、各天板孔１１Ａのリブ受入孔領域１１Ａ２における角孔形状の前縁部分から平板状に形状を垂下させる規制面部１１Ｂ２と、を有する形に形成されている。
【００３９】
上述した各バーリング部１１Ｂの当接面部１１Ｂ１は、各天板孔１１Ａの丸孔領域１１Ａ１内に差し込まれた各ヘッドレストサポート２０の差込み部２２に外周側から面当接した状態に当てられるようになっている。上記面当接により、各バーリング部１１Ｂの当接面部１１Ｂ１は、各ヘッドレストサポート２０の差込み部２２を外周側からシート高さ方向に広く面をあてがえた状態として支持することができるようになっている。
【００４０】
また、上述した各バーリング部１１Ｂの規制面部１１Ｂ２は、上述した各天板孔１１Ａの丸孔領域１１Ａ１内に各ヘッドレストサポート２０の差込み部２２が差し込まれた後、各差込み部２２を旋回方向に回転させる際に、誤って各リブ２４を前側へ移す方向に回転させるといった誤操作が生じないよう、そのような操作が行われた際に各リブ２４を回転方向に当接させて同方向の移動を規制する構成となっている（誤組付け防止構造Ｂ）。
【００４１】
ここで、上述した各リブ２４は、図３に示すように、上述した各ヘッドレストサポート２０の差込み部２２の外周箇所から各差込み部２２と横並び状に差込み方向に長く延びる長板形状に張り出した形状とされている。そして、各リブ２４は、上記張り出した先の各上端箇所に上側に突出する凸部位２４Ｂを有した形状とされている。上述した各凸部位２４Ｂは、図４に示すように、上述した各ヘッドレストサポート２０の差込み部２２を各天板孔１１Ａの丸孔領域１１Ａ１内に係止座２３の係止位置まで差し込んだ際に、各天板孔１１Ａを下側へと通り抜けて上述した各バーリング部１１Ｂの規制面部１１Ｂ２とは回転方向に対面するが、各バーリング部１１Ｂの当接面部１１Ｂ１とは径方向に外れた配置とされて回転方向には対面しない関係となる構成とされている。
【００４２】
上記構成により、各リブ２４は、各ヘッドレストサポート２０の差込み部２２を各天板孔１１Ａの丸孔領域１１Ａ１内に係止座２３の係止位置まで差し込んだ後、各差込み部２２を各リブ２４を前側へ移す誤った回転方向に回そうとしても、上述した各凸部位２４Ｂが各バーリング部１１Ｂの規制面部１１Ｂ２と当接して同方向の回転移動を規制することができるようになっている。また、各リブ２４は、上記差し込んだ後、各差込み部２２を各リブ２４を後側へ移す正しい回転方向に回す時には、上述した各凸部位２４Ｂを各バーリング部１１Ｂの規制面部１１Ｂ２のない開口１１Ｂ３側へと移動させて、各凸部位２４Ｂを各当接面部１１Ｂ１の外周側に通す形で各差込み部２２との間の凹部位２４Ｃ内に各当接面部１１Ｂ１を通しながら、これら当接面部１１Ｂ１との干渉を生じることなく図３で前述した有効介在位置Ｐへと移動されるようになっている。
【００４３】
上記構成により、上記各リブ２４は、上述した有効介在位置Ｐにおいて、それらの凸部位２４Ｂを上述した各バーリング部１１Ｂの当接面部１１Ｂ１とシート高さ方向において重なる高さ位置まで上方側に張り出させて天板部１１に接近させた状態として、それらの天板部１１と底板部１２との間に張り出す突張り部位２４Ａを天板部１１と底板部１２との間でシート高さ方向に広く張り出させた状態として設けられるようになっている。
【００４４】
また、図４に示すように、上述した底板部１２の各底板孔１２Ａの周縁にも、各周縁に沿ってフランジ状に形状を垂下させる略円筒形状のバーリング部１２Ｂがバーリング加工によって形成されている。これらバーリング部１２Ｂは、各底板孔１２Ａの丸孔領域１２Ａ１の周縁に沿って略円筒状に形状を垂下させる当接面部１２Ｂ１と、これら当接面部１２Ｂ１の前後２箇所の下端側部位に凹状に切り抜かれる形に形成された嵌合溝１２Ｂ２と、を有する形に形成されている。
【００４５】
上述した各バーリング部１２Ｂの当接面部１２Ｂ１は、各底板孔１２Ａの丸孔領域１２Ａ１内に差し込まれた各ヘッドレストサポート２０の差込み部２２に外周側から面当接した状態に当てられるようになっている。上記面当接により、各バーリング部１２Ｂの当接面部１２Ｂ１は、各ヘッドレストサポート２０の差込み部２２を外周側からシート高さ方向に広く面をあてがえた状態として支持することができるようになっている。
【００４６】
また、上述した各バーリング部１２Ｂの嵌合溝１２Ｂ２は、上述した各底板孔１２Ａの丸孔領域１２Ａ１内に各ヘッドレストサポート２０の差込み部２２が係止位置まで差し込まれた後、各差込み部２２を図３で前述した有効介在位置Ｐへと旋回させることにより、各ヘッドレストサポート２０の差込み部２２の下端側の外周箇所に形成された一対の嵌合爪２５がそれぞれ弾性的に嵌り込んで係止される部位となっている。
【００４７】
詳しくは、図４に示すように、上述した各ヘッドレストサポート２０の差込み部２２の下端側の外周箇所に形成された一対の嵌合爪２５は、各ヘッドレストサポート２０の差込み部２２が各底板孔１２Ａの丸孔領域１２Ａ１内に係止位置まで差し込まれることで、各底板孔１２Ａから垂下するバーリング部１２Ｂの当接面部１２Ｂ１との当たりにより径方向の内側に弾性的に押し窄められるようになっている。そして、上記一対の各嵌合爪２５は、上述した各ヘッドレストサポート２０の差込み部２２が図３で前述した有効介在位置Ｐへと旋回方向に回されることで、上述した各嵌合溝１２Ｂ２と回転方向に位置合わせされて、それらの弾性的な復元作用により各嵌合溝１２Ｂ２内に嵌り込むようになっている。
【００４８】
上記各嵌合爪２５の各嵌合溝１２Ｂ２内への嵌り込みにより、各嵌合爪２５が各嵌合溝１２Ｂ２に対して、回転方向の双方向に当接すると共に、差込み方向とは反対方向へも当接した状態となる。それにより、各ヘッドレストサポート２０の差込み部２２が、各バーリング部１２Ｂに対して旋回方向に回り止めされると共に、差込み方向とは反対方向への引き抜き移動も規制されて、各ヘッドレストサポート２０の差込み部２２がアッパフレーム１０に一体的に装着された状態となる。
【００４９】
《まとめ》
以上をまとめると、本実施例のシート１は次のような構成となっている。すなわち、ヘッドレストステー（３Ａ）が上側から差し込まれて装着されるヘッドレストサポート（２０）と、ヘッドレストサポート（２０）が上側から差し込まれて装着されるシートバック（２）のアッパフレーム（１０）と、を有する乗物用シート（１）である。アッパフレーム（１０）が、互いにシート高さ方向に対面する天板部（１１）及び底板部（１２）を有する。ヘッドレストサポート（２０）が、天板部（１１）に形成された天板孔（１１Ａ）と底板部（１２）に形成された底板孔（１２Ａ）とにシート高さ方向に貫通して差し込まれる差込み部（２２）と、差込み部（２２）から差込み方向とは交差する方向（径方向）に張り出す張出し部（２４）と、を有する。
【００５０】
天板孔（１１Ａ）と底板孔（１２Ａ）とが、それぞれ、ヘッドレストサポート（２０）の差込み部（２２）をシート高さ方向に差し込み可能な差込み孔領域（１１Ａ１，１１Ａ２，１２Ａ１）と、差込み孔領域（１１Ａ１，１１Ａ２，１２Ａ１）に差し込んだヘッドレストサポート（２０）の差込み部（２２）を差込み方向とは交差する方向（旋回方向）に移動させて張出し部（２４）を差込み孔領域（１１Ａ１，１１Ａ２，１２Ａ１）から外れた天板部（１１）と底板部（１２）との配置間領域に有効に介在させる有効介在位置（Ｐ）へと移行可能な移行孔領域（１１Ａ１，１２Ａ１）と、を有する。張出し部（２４）が、有効介在位置（Ｐ）にて天板部（１１）と底板部（１２）との間に作用する接近方向の変形移動を突張りにより抑制可能な突張り部位（２４Ａ）を有する。
【００５１】
このような構成とされていることにより、ヘッドレストサポート（２０）をアッパフレーム（１０）に上側から差し込んで装着することで、ヘッドレストサポート（２０）に形成された張出し部（２４）をアッパフレーム（１０）の天板部（１１）と底板部（１２）との配置間領域に有効に介在させて、これらの相対的な接近方向の変形移動を突張り部位（２４Ａ）の突張りにより抑制できるようになる。上記構成により、ヘッドレストサポート（２０）を支えるシートバック（２）のアッパフレーム（１０）の構造強度を合理的に高めることができる。
【００５２】
また、張出し部（２４）の有効介在位置（Ｐ）が、差込み部（２２）の後側位置に設定されている。このような構成とされていることにより、ヘッドレスト（３）に前方側から過大な負荷が入力された際のアッパフレーム（１０）の天板部（１１）と底板部（１２）との相対的な接近方向の変形移動を、差込み部（２２）の後側位置にある張出し部（２４）によって適切に抑制することができる。
【００５３】
また、移行孔領域（１１Ａ１，１２Ａ１）が、ヘッドレストサポート（２０）の差込み部（２２）を差込み孔領域（１１Ａ１，１１Ａ２，１２Ａ１）から差込み方向に延びる軸回りに旋回させて張出し部（２４）を有効介在位置（Ｐ）へと移行させる孔形状とされている。このような構成とされていることにより、移行孔領域（１１Ａ１，１２Ａ１）がヘッドレストサポート（２０）の差込み部（２２）を差込み孔領域（１１Ａ１，１１Ａ２，１２Ａ１）から有効介在位置（Ｐ）へとスライドさせて移行させる孔形状とされた場合と比べて、移行孔領域（１１Ａ１，１２Ａ１）を差込み孔領域（１１Ａ１，１２Ａ１）と重複させて形成することができ、全体の孔形状を小さくすることができる。
【００５４】
また、ヘッドレストサポート（２０）が、差込み部（２２）を有効介在位置（Ｐ）へと回転させることでアッパフレーム（１０）に形成された嵌合溝（１２Ｂ２）に弾性的に嵌合して差込み部（２２）を回り止めする弾性嵌合部（２５）を有する。このような構成とされていることにより、ヘッドレストサポート（２０）をアッパフレーム（１０）に対して簡便に装着位置に固定した状態に取り付けることができる。
【００５５】
また、ヘッドレストサポート（２０）とアッパフレーム（１０）との間に、差込み部（２２）を差込み孔領域（１１Ａ１，１１Ａ２，１２Ａ１）から有効介在位置（Ｐ）とは反対方向へ回転させる動きを回転方向の当接により規制する誤組付け防止構造（Ｂ）を有する。このような構成とされていることにより、ヘッドレストサポート（２０）がアッパフレーム（１０）に対して間違った位置に装着されることを適切に防止することができる。
【００５６】
また、アッパフレーム（１０）が、差込み孔領域（１１Ａ１，１１Ａ２）の周縁からフランジ状に立ち上がるバーリング部（１１Ｂ）を有する。バーリング部（１１Ｂ）が、ヘッドレストサポート（２０）を回転方向に当接させる誤組付け防止構造（Ｂ）としての規制面部（１１Ｂ２）と、差込み孔領域（１１Ａ１）に差し込まれた差込み部（２２）の外周面に面当接される当接面部（１１Ｂ１）と、を有する。
【００５７】
このような構成とされていることにより、ヘッドレストサポート（２０）の間違った方向への回転移動を規制する規制面部（１１Ｂ２）と、差込み孔領域（１１Ａ１）に差し込まれた差込み部（２２）を外周側から面状に支持する当接面部（１１Ｂ１）と、を差込み孔領域（１１Ａ１，１１Ａ２）の周縁に形成したバーリング部（１１Ｂ）によって合理的に得ることができる。
【００５８】
また、張出し部（２４）が、差込み部（２２）を有効介在位置（Ｐ）へと回転させる際のバーリング部（１１Ｂ）の当接面部（１１Ｂ１）との干渉を避ける凹部位（２４Ｃ）を有する。このような構成とされていることにより、差込み孔領域（１１Ａ１，１１Ａ２）の周縁にバーリング部（１１Ｂ）が形成されていても、張出し部（２４）を凹部位（２４Ｃ）によってバーリング部（１１Ｂ）と干渉させることなくアッパフレーム（１０）の天板部（１１）と底板部（１２）との間にシート高さ方向に広く延出させた状態に設けることができる。
【００５９】
《その他の実施例について》
以上、本発明の実施形態を１つの実施例を用いて説明したが、本発明は上記実施例のほか各種の形態で実施することができるものである。例えば、本発明の乗物用シートの構成は、自動車用のシートの他、鉄道等の自動車以外の車両に適用されるシートや、航空機、船舶等の様々な乗物用に供されるシートにも広く適用することができるものである。
【００６０】
また、差込み孔領域に差し込んだヘッドレストサポートの差込み部を差込み方向とは交差する方向に移動させて張出し部を差込み孔領域から外れた天板部と底板部との配置間領域に有効に介在する有効介在位置へと移行させられるようにする移行孔領域は、差込み孔領域と連なって差込み部を横スライド或いは前後スライドさせて有効介在位置へと移行させる構成であってもよい。
【００６１】
また、張出し部の有効介在位置は、差込み部の後側位置の他、差込み部の左右側の位置や前側の位置であってもよい。また、張出し部は、差込み部の前後左右の複数箇所から張り出す形に設けられるものであってもよい。
【符号の説明】
【００６２】
１      シート（乗物用シート）
２      シートバック
３      ヘッドレスト
３Ａ    ヘッドレストステー
１０    アッパフレーム
１１    天板部
１１Ａ  天板孔
１１Ａ１  丸孔領域（差込み孔領域、移行孔領域）
１１Ａ２  リブ受入孔領域（差込み孔領域）
１１Ｂ  バーリング部
１１Ｂ１  当接面部
１１Ｂ２  規制面部
１１Ｂ３  開口
１２    底板部
１２Ａ  底板孔
１２Ａ１  丸孔領域（差込み孔領域、移行孔領域）
１２Ｂ  バーリング部
１２Ｂ１  当接面部
１２Ｂ２  嵌合溝
１３    前板部
２０    ヘッドレストサポート
２０Ａ  挿通孔
２１    頭部
２１Ａ  ツマミ
２２    差込み部
２３    係止座
２４    リブ（張出し部）
２４Ａ  突張り部位
２４Ｂ  凸部位
２４Ｃ  凹部位
２５    嵌合爪（弾性嵌合部）
Ｂ      誤組付け防止構造
Ｐ      有効介在位置
【図１】
2019137246.tif 000003
【図２】
2019137246.tif 000004
【図３】
2019137246.tif 000005
【図４】
2019137246.tif 000006
【図５】
2019137246.tif 000007
【図６】
2019137246.tif 000008